(57)【要約】【課題】取付スペースを必要としない簡単な構造で油圧ホースから吹出した圧油がエンジン側に飛散するのを防止し、信頼性、生産性を向上する。【解決手段】油圧ホース１３とホース側継手１４との締付部（締結筒部１４Ｂ）には、この締付部を覆う保護カバー２１を設ける構成としている。従って、保護カバー２１は、油圧ホース１３とホース側継手１４との間から圧油が吹出したとしても、この圧油がエンジン８側に飛散するのを防止する。また、保護カバー２１は、編目をもった編組材により筒状に形成し、油圧ホース１３とホース側継手１４との締付部を覆う構成としているから、小型の油圧ショベル１のように取付スペースが無いものでも、簡単に取付けることができる。しかも、安価に製造することができる。【選択図】        図３
2004225454.tif 000002
【特許請求の範囲】
【請求項１】
作業装置が設けられた車体と、該車体に搭載された原動機と、該原動機によって駆動され圧油を吐出する油圧ポンプと、該油圧ポンプから吐出された圧油を油圧アクチュエータに分配する制御弁と、前記油圧ポンプと該制御弁とを連結する油圧ホースとを備えてなる建設機械において、
前記油圧ホースの端部には前記油圧ポンプまたは制御弁側とつなぐ継手を設け、前記油圧ホースと継手との締付部には当該締付部を覆う保護カバーを設ける構成としたことを特徴とする建設機械。
【請求項２】
前記保護カバーは、編目をもった編組材により筒状に形成してなる請求項１に記載の建設機械。
【請求項３】
前記保護カバーは、その一方の端部を前記継手に結束部材を用いて取付ける構成としてなる請求項１または２に記載の建設機械。
【発明の詳細な説明】
【０００１】
【発明の属する技術分野】
本発明は、例えば油圧ショベル、油圧クレーン等の圧油で駆動する建設機械に関する。
【０００２】
【従来の技術】
一般に、建設機械としての油圧ショベルは、下部走行体と、該下部走行体上に旋回可能に搭載された上部旋回体と、該上部旋回体に俯仰動可能に設けられた作業装置とにより構成されている。
【０００３】
また、上部旋回体は、旋回フレームと、該旋回フレームに搭載されたエンジンと、該エンジンによって駆動され、圧油を吐出する油圧ポンプと、該油圧ポンプから吐出された圧油を下部走行体、作業装置等に設けられた油圧アクチュエータに分配する制御弁と、前記油圧ポンプと該制御弁とを連結する油圧ホースとにより大略構成されている。ここで、油圧ホースは、可撓性を有するホース配管からなり、その端部には油圧ポンプ、制御弁側とつなぐための継手がそれぞれ設けられている。
【０００４】
また、油圧ショベルは、油圧ポンプから吐出される高圧な圧油（作動油）により各種の油圧アクチュエータを駆動するものであるから、圧油が漏れることがある。特に、ポンプ部から吐出された直後の圧油は高圧になっているため、この部位に配置されている油圧ホースと継手の締付部から高圧な圧油が吹出す虞がある。
【０００５】
このため、従来技術による油圧ショベルでは、油圧ポンプ、油圧ホース側とエンジン側、特に高温になる排気管、過給器等とを隔てる遮蔽板を設け、ポンプ部の近くから圧油が吹出したとしても、この遮蔽板により圧油がエンジン側に飛散しないようにしている（例えば、特許文献１参照）。
【０００６】
【特許文献１】
特開２００１−３０３６１４号公報
【０００７】
【発明が解決しようとする課題】
ところで、上述した従来技術による油圧ショベルでは、油圧ポンプ、油圧ホース側とエンジンの排気管等とを隔てる遮蔽板を設けている。しかし、排気管等を覆うためには広い面積の遮蔽板が必要になる。このため、エンジンの周囲にスペースが無い小型の油圧ショベルでは、広い面積の遮蔽板は取付けることができないという問題がある。
【０００８】
また、遮蔽板は、耐熱性の点から金属製の薄板等により形成されるが、金属製の遮蔽板は、振動による金属疲労等によって損傷することがある。このため、遮蔽板は、振動が伝わらないような弾性部材等を介して支持する必要があり、組立作業性の低下、製造コストの上昇を招いてしまうという問題がある。
【０００９】
しかも、勢いよく吹出す圧油は、周囲の機器等に衝突して霧状になるから、遮蔽板を設けていたとしても、この霧状になった作動油が該遮蔽板を回り込んでエンジン側に流れ込み、着火する虞もあるという問題がある。
【００１０】
本発明は上述した従来技術の問題に鑑みなされたもので、本発明の目的は、取付スペースを必要としない簡単な構造で油圧ホースから漏れ出る圧油がエンジン側に飛散するのを防止でき、信頼性、生産性を向上できるようにした建設機械を提供することにある。
【００１１】
【課題を解決するための手段】
本発明による建設機械は、作業装置が設けられた車体と、該車体に搭載された原動機と、該原動機によって駆動され圧油を吐出する油圧ポンプと、該油圧ポンプから吐出された圧油を油圧アクチュエータに分配する制御弁と、前記油圧ポンプと該制御弁とを連結する油圧ホースとを備えている。
【００１２】
そして、上述した課題を解決するために、請求項１の発明が採用する構成の特徴は、油圧ホースの端部には油圧ポンプまたは制御弁側とつなぐ継手を設け、油圧ホースと継手との締付部には当該締付部を覆う保護カバーを設ける構成としたことにある。
【００１３】
このように構成したことにより、保護カバーは締付部を覆うだけであるから、取付スペースを必要とせず、狭い場所でも取付けることができる。そして、油圧ホースと継手との締付部から高圧な圧油が吹出したとしても、この締付部は保護カバーにより覆っているから、周囲に圧油が飛散するのを確実に防止することができる。
【００１４】
請求項２の発明によると、保護カバーは、編目をもった編組材により筒状に形成しているので、保護カバーを安価に製造することができる。また、形状を自由に変えることができるから、例えば狭い場所の油圧ホース、屈曲した油圧ホースにも対応することができる。さらに、漏れ出た圧油を保護カバー内に溜めることなく、編目を通して滴下することができるから、油漏れが発生していることを点検作業者に知らせることができる。
【００１５】
請求項３の発明によると、保護カバーは、その一方の端部を継手に結束部材を用いて取付ける構成としているので、保護カバーは結束部材を用いて継手に簡単に取付けることができる。
【００１６】
【発明の実施の形態】
以下、本発明の実施の形態に適用される建設機械として、小型の油圧ショベルを例に挙げ、図１ないし図６に従って詳細に説明する。
【００１７】
図中、１は本実施の形態に適用される建設機械としての油圧ショベルで、該油圧ショベル１は、自走可能な下部走行体２と、該下部走行体２上に旋回可能に搭載され、該下部走行体２と共に車体を構成する上部旋回体３と、該上部旋回体３の前側に俯仰動可能に設けられ、土砂の掘削作業等を行なう作業装置４とにより大略構成されている。
【００１８】
また、上部旋回体３は、図１、図２に示す如く、例えば厚肉な鋼板等を用いて形成されたベースとなる旋回フレーム５と、該旋回フレーム５上に設けられた運転席６と、該運転席６の上方を覆うキャノピ７と、後述のエンジン８、油圧ポンプ１０、作動油タンク１１、制御弁群１２、油圧ホース１３、保護カバー２１とにより大略構成されている。
【００１９】
８は旋回フレーム５の後側に搭載された原動機としてのエンジン（図２中に図示）で、該エンジン８は、左，右方向に延在する横置き状態に配置されている。そして、エンジン８の左端側には後述の油圧ポンプ１０が取付けられ、該エンジン８の右側にはラジエータ９等が配設されている。
【００２０】
１０はエンジン８の左端側に取付けられた油圧ポンプで、該油圧ポンプ１０は、エンジン８によって駆動されることにより、後述する作動油タンク１１内に貯留された作動油を圧油として吐出するものである。ここで、油圧ポンプ１０には、例えば３箇所に設けられた圧油の吐出口（図示せず）にそれぞれポンプ側継手１０Ａが取付けられ、該各ポンプ側継手１０Ａには後述する油圧ホース１３に設けられた一方のホース側継手１４がつながれる。
【００２１】
１１はラジエータ９の前側に位置して旋回フレーム５の右側に搭載された作動油タンクで、該作動油タンク１１は、油圧ポンプ１０に供給する作動油を貯えるものである。
【００２２】
１２は旋回フレーム５上に設けられた制御弁群で、該制御弁群１２は、例えば作動油タンク１１の前側となる右前側に配置されている。また、制御弁群１２は、複数の制御弁を連結して形成され、後述する油圧ホース１３の他方のホース側継手１５がつなげられている。そして、制御弁群１２は、油圧ポンプ１０から油圧ホース１３を介して供給される圧油を下部走行体２の走行用油圧モータ、作業装置４の油圧シリンダ等に対し、供給する方向を切換えつつ分配するものである。
【００２３】
１３は油圧ポンプ１０と制御弁群１２とを連結する例えば３本の油圧ホースで、該油圧ホース１３は、可撓性を有する耐圧ホース配管により形成されている。また、油圧ホース１３の一方の端部には油圧ポンプ１０とつなぐホース側継手１４が取付けられ、他方の端部には制御弁群１２とつなぐホース側継手１５が設けられている。
【００２４】
ここで、一方のホース側継手１４は、図３ないし図５に示す如く、スパナ等の工具を用いて油圧ポンプ１０のポンプ側継手１０Ａにつなげられるナット部１４Ａと、該ナット部１４Ａから軸方向に延び、内部に油圧ホース１３の一端部をカシメ等の手段を用いて締結する締結筒部１４Ｂとにより大略構成されている。また、他方のホース側継手１５は、一方のホース側継手１４とほぼ同様に形成されている。
【００２５】
２１は油圧ホース１３と一方のホース側継手１４との締付部、即ちホース側継手１４の締結筒部１４Ｂを覆う保護カバーで、該保護カバー２１は、図６に示すように、編目をもった編組材、例えばナイロン、アクリル等の太目の繊維を編んで形成した布状体を筒状に縫製することにより形成されている。そして、保護カバー２１は、図４に示す如く、その内部にホース側継手１４と油圧ホース１３の一部を通し、一方の端部を後述の結束バンド２２を用いてホース側継手１４のナット部１４Ａと締結筒部１４Ｂとの間に締付けることにより、該ホース側継手１４に取付けられている。
【００２６】
ここで、保護カバー２１は、編目をもった編組材によって形成しているから、形状を自由に変えることができ、３本の油圧ホース１３が入組んだ場所でも容易に設けることができる。また、保護カバー２１は、油圧ホース１３とホース側継手１４の締結筒部１４Ｂとの間から圧油が漏れて吹出したとしても、この圧油が飛散して霧状になるのを防止することができる。さらに、保護カバー２１は、漏れ出た圧油を内部に溜めることなく、編目を通して滴下することができる。
【００２７】
２２は保護カバー２１の一方の端部をホース側継手１４に取付ける結束部材としての結束バンドを示している。そして、結束バンド２２は、図４に示す如く、例えばリング状に丸められたバンド部２２Ａをねじ部２２Ｂによって縮径させることにより、保護カバー２１の一方の端部をホース側継手１４に取付けるものである。
【００２８】
本実施の形態による油圧ショベル１は上述の如き構成を有するもので、以下、その作動について説明する。
【００２９】
まず、エンジン８により油圧ポンプ１０を駆動すると、該油圧ポンプ１０は作動油タンク１１内の作動油を油圧ホース１３を介して制御弁群１２に供給する。そして、制御弁群１２を操作して圧油を下部走行体２の走行用油圧モータに供給することにより、該下部走行体２を走行させることができる。また、制御弁群１２を操作して圧油を作業装置４の油圧シリンダに供給することにより、該作業装置４を俯仰動させて土砂の掘削作業等を行なうことができる。
【００３０】
一方、油圧ショベル１の運転時には、高圧な作動油が油圧ラインを流れているから、例えば圧力の高い場所で圧油が漏れて吹出す虞がある。その圧油が吹出す場所としては、油圧ポンプ１０から吐出された直後の高圧な圧油が供給される油圧ホース１３の一端側、詳しくは、油圧ホース１３とホース側継手１４の締結筒部１４Ｂとの間が挙げられる。
【００３１】
そして、油圧ホース１３とホース側継手１４の締結筒部１４Ｂとの間から圧油が吹出したとしても、該締結筒部１４Ｂを覆うように保護カバー２１を設けているから、該保護カバー２１は吹出した圧油が飛散して霧状になるのを防止する。また、保護カバー２１内に漏れ出た圧油は、当該保護カバー２１の編目を通って滴下させることができ、点検作業時に圧油漏れが生じていることを作業者に知らせることができる。
【００３２】
かくして、本実施の形態によれば、油圧ホース１３とホース側継手１４との締付部（締結筒部１４Ｂ）には、当該締付部を覆う保護カバー２１を設ける構成としている。従って、保護カバー２１は、油圧ホース１３とホース側継手１４との間から圧油が吹出したとしても、この圧油が飛散して霧状になるのを防止することができ、エンジン８側への圧油の飛散を確実に防止することができる。
【００３３】
しかも、保護カバー２１は、油圧ホース１３とホース側継手１４との締付部を覆う構成としているから、非常に小さく形成することができ、小型の油圧ショベル１のように取付スペースが無いものでも、簡単に取付けることができる。
【００３４】
また、保護カバー２１は、編目をもった編組材により筒状に形成しているから、安価に製造することができ、製造コストを低減することができる。また、編組材からなる保護カバー２１は、形状を自由に変えることができるから、例えば狭い場所で屈曲した油圧ホースにも対応することができ、取付自由度を高めることができる。
【００３５】
一方、保護カバー２１は、編目をもっているから、漏れ出た圧油を内部に溜めることなく、編目を通して滴下することができる。これにより、点検作業を行なう作業者は、編目を通して滴下した圧油を視認することにより、油漏れが発生していることを知ることができる。
【００３６】
さらに、保護カバー２１は、結束バンド２２を用いてホース側継手１４に取付けているから、簡単な作業で取付けることができ、組立作業性を向上することができる。
【００３７】
なお、実施の形態では、油圧ホース１３と一方のホース側継手１４との締付部を覆うように保護カバー２１を設けた場合を例に挙げて説明した。しかし、本発明はこれに限らず、例えば油圧ホース１３と他方のホース側継手１５との締付部を覆うように保護カバー２１を設ける構成としてもよい。
【００３８】
また、実施の形態では、保護カバー２１をホース側継手１４に取付けるのに結束部材として結束バンド２２を用いた場合を例示したが、本発明はこれに限るものではなく、例えば針金、ワイヤ等の他の結束部材を用いて保護カバー２１をホース側継手１４に取付ける構成としてもよい。
【００３９】
また、実施の形態では、原動機としてエンジン８を設け、該エンジン８によって油圧ポンプ１０を駆動する構成とした場合を例に挙げて説明した。しかし、本発明はこれに限らず、例えば原動機として電動モータを用いる構成としてもよい。
【００４０】
また、実施の形態では、運転席６の上方を覆うキャノピ７を用いた油圧ショベル１を例に挙げて説明したが、本発明はこれに限らず、例えば、運転席６の前，後、左，右、上方を覆うキャブボックスを用いた他の油圧ショベルに適用してもよい。
【００４１】
さらに、本実施の形態では、建設機械として油圧ショベル１を例に挙げて説明したが、本発明はこれに限るものではなく、例えばホイールローダ、油圧クレーン、リフトトラック、ブルドーザ等の他の建設機械に適用してもよい。
【００４２】
【発明の効果】
以上詳述した通り、請求項１の発明によれば、油圧ポンプと制御弁とを連結する油圧ホースの端部には油圧ポンプまたは制御弁側とつなぐ継手を設け、油圧ホースと継手との締付部には当該締付部を覆う保護カバーを設ける構成としている。従って、保護カバーは締付部を覆うだけであるから、取付スペースを必要とせず、狭い場所でも簡単に取付けることができる。そして、保護カバーは、油圧ホースと継手との締付部から高圧な圧油が漏れて吹出したとしても、この圧油が周囲に飛散するのを確実に防止することができ、信頼性を向上することができる。
【００４３】
請求項２の発明によれば、保護カバーは、編目をもった編組材により筒状に形成しているから、該保護カバーを安価に製造することができ、製造コストを低減することができる。また、編組材からなる保護カバーは、形状を自由に変えることができるから、例えば狭い場所の油圧ホース、屈曲した油圧ホースにも対応することができ、取付自由度を高めることができる。さらに、保護カバーは、漏れ出た圧油を内部に溜めることなく、編目を通して滴下することができるから、油漏れが発生していることを点検作業者に知らせることができる。
【００４４】
請求項３の発明によれば、保護カバーは、その一方の端部を継手に結束部材を用いて取付ける構成としているから、保護カバーは結束部材を用いて継手に簡単に取付けることができ、組立作業性を向上することができる。
【図面の簡単な説明】
【図１】本発明の実施の形態に適用される油圧ショベルを示す正面図である。
【図２】エンジン、油圧ポンプ、制御弁群、油圧ホース、保護カバー等を旋回フレーム上に搭載した状態を示す平面図である。
【図３】エンジン、油圧ポンプ、油圧ホース等を図２中の矢示ＩＩＩ−ＩＩＩ方向から拡大して示す要部拡大の正面図である。
【図４】油圧ホースと一方のホース側継手に保護カバーを結束バンドにより取付けた状態を拡大して示す正面図である。
【図５】油圧ホースの一部と一方のホース側継手を拡大して示す正面図である。
【図６】保護カバーを単体で拡大して示す外観斜視図である。
【符号の説明】
１  油圧ショベル（建設機械）
２  下部走行体（車体）
３  上部旋回体（車体）
４  作業装置
５  旋回フレーム
８  エンジン（原動機）
１０  油圧ポンプ
１２  制御弁群（制御弁）
１３  油圧ホース
１４  一方のホース側継手
１４Ａ  ナット部
１４Ｂ  締結筒部（締付部）
１５  他方のホース側継手
２１  保護カバー
２２  結束バンド（結束部材）
【図１】
2004225454.tif 000003
【図２】
2004225454.tif 000004
【図３】
2004225454.tif 000005
【図４】
2004225454.tif 000006
【図５】
2004225454.tif 000007
【図６】
2004225454.tif 000008